(57)【要約】      （修正有）【課題】容易且つ安価にネクタイを形良く装着することのできるネクタイを提供する。【解決手段】ネクタイは、結び目１１と、結び目の下端部１１ａから垂下する大剣１２および小剣と、結び目の上端部１１ｂの左右両側からそれぞれ延出して環状に形成され、一端部１４ａが小剣に接続され、他端部１４ｂが結び目または大検に接続される首掛け部１４と、を備え、首掛け部の一端部１４ａを引っ張ると、結び目の形状を維持したまま、小剣が上昇して首掛け部によって囲まれる面積が拡大し、小剣を引っ張ると、結び目の形状を維持したまま、首掛け部によって囲まれる面積が収縮するように構成されている。【選択図】図１
0003215577.tif 000002
【実用新案登録請求の範囲】
【請求項１】
結び目と、
前記結び目の下端部から垂下する大剣および小剣と、
前記結び目の上端部の左右両側からそれぞれ延出して環状に形成され、一端部が前記小剣に接続され、他端部が前記結び目または前記大検に接続される首掛け部と、
を備え、
前記首掛け部の一端部を引っ張ると、前記結び目の形状を維持したまま、前記小剣が上昇して前記首掛け部によって囲まれる面積が拡大し、
前記小剣を引っ張ると、前記結び目の形状を維持したまま、前記首掛け部によって囲まれる面積が収縮するように構成されていることを特徴とするネクタイ。
【請求項２】
前記小剣には、前記結び目の下端部より左右の幅が広い抜け止め部が設けられていることを特徴とする請求項１に記載のネクタイ。
【請求項３】
前記首掛け部には、周方向に所定以上の負荷が掛かった時に外れる安全機構部が設けられていることを特徴とする請求項１または２に記載のネクタイ。
【考案の詳細な説明】
【技術分野】
【０００１】
本考案は、ネクタイに関し、特に、装着する際に結び目を形成する必要のないネクタイに関するものである。
【背景技術】
【０００２】
一般に、ネクタイは、布製で細長い帯状を成し、両端部に大剣と小剣を有している。そして、ネクタイを装着する際には、着用者のワイシャツの襟の下に通して首に巻き、前で結び目を作る作業を行う必要がある。しかしながら、結び目を形良く作ったり、大剣と小剣の長さを調整したりする作業にはある程度の時間と労力を要していた。
【０００３】
そこで、従来、簡易に装着することを目的としたネクタイがいろいろと提案されている（例えば、特許文献１または２参照）。
【先行技術文献】
【特許文献】
【０００４】
【特許文献１】実用新案登録第３１５９２７４号公報
【特許文献２】特開２０１６−２１１１０９号公報
【考案の概要】
【考案が解決しようとする課題】
【０００５】
しかしながら、上記した特許文献１や特許文献２に記載のネクタイでは、ネクタイの生地に複雑な加工をしたり、或いは、ネクタイ以外にいろいろな部品を用意したりする必要があった。そのため、ネクタイの製造に手間やコストが掛かるといった問題や、ネクタイを形良く装着することが難しいといった問題が生じていた。
【０００６】
本考案は、上記した課題を解決すべくなされたものであり、容易にネクタイを形良く装着することのできるネクタイを提供することを目的とするものである。
【課題を解決するための手段】
【０００７】
本考案に係るネクタイは、結び目と、前記結び目の下端部から垂下する大剣および小剣と、前記結び目の上端部の左右両側からそれぞれ延出して環状に形成され、一端部が前記小剣に接続され、他端部が前記結び目または前記大検に接続される首掛け部と、を備え、前記首掛け部の一端部を引っ張ると、前記結び目の形状を維持したまま、前記小剣が上昇して前記首掛け部によって囲まれる面積が拡大し、前記小剣を引っ張ると、前記結び目の形状を維持したまま、前記首掛け部によって囲まれる面積が収縮するように構成されていることを特徴とする。
【０００８】
このような構成を備えることにより、結び目を解くことなく簡単に、ネクタイを着用したり、取り外したりすることができる。また、その際、結び目の形状は最初の綺麗な状態を維持することができる。さらに、ネクタイの生地に複雑な加工をしたり、或いは、ネクタイ以外にいろいろな部品を用意したりする必要がないため、ネクタイの製時の手間やコストの削減が可能となる。
【０００９】
本考案に係るネクタイは、上記した構成に加えて、前記小剣に、前記結び目の下端部より左右の幅が広い抜け止め部が設けられているのが好ましい。
【００１０】
このような構成を備えることにより、ネクタイの装着時や取り外し時に小剣が結び目から外れることがないため、容易にネクタイを装着することができる。
【００１１】
本考案に係るネクタイは、上記した構成に加えて、前記首掛け部に、周方向に所定以上の負荷が掛かった時に外れる安全機構部が設けられているのが好ましい。
【００１２】
このような構成を備えることにより、ネクタイの着用中に大剣が扉に挟まれたりして首掛け部に所定以上の負荷が作用した場合には、安全機構部が外れるため、ネクタイが着用者の首を絞めつけたりするのを防止することができ、安全性の向上を図ることができる。
【考案の効果】
【００１３】
本考案によれば、容易にネクタイを形良く装着することができる等、種々の優れた効果を得ることができる。
【図面の簡単な説明】
【００１４】
【図１】本考案の実施の形態に係るネクタイを示す正面図である。
【図２】本考案の実施の形態に係るネクタイを示す背面図である。
【図３】本考案の実施の形態に係るネクタイを装着する手順を示す正面図である。
【図４】本考案の実施の形態に係るネクタイを装着する手順を示す正面図である。
【図５】本考案の実施の形態に係るネクタイの安全機構部が外れた状態を示す正面図である。
【考案を実施するための形態】
【００１５】
以下、図面を参照しつつ、本考案の実施の形態に係るネクタイ１０について詳細に説明する。ここで、図１はネクタイ１０を示す正面図、図２はネクタイ１０を示す背面図である。
【００１６】
本考案の実施の形態に係るネクタイ１０は、布製で細長い帯状の一般的なネクタイ形状に形成されたものを、図１および図２に示されているように、装着し易い形状に形成したものである。このネクタイ１０は、結び目１１と、結び目１１の下端部１１ａから垂下する大剣１２および小剣１３と、結び目１１の上端部１１ｂの左右両側からそれぞれ延出して環状に形成される首掛け部１４と、を備えて構成されている。
【００１７】
結び目１１は、例えば樹脂製の芯材（図示せず）の外側に布が巻かれて縫製されることで逆三角形状に形成されている。
【００１８】
大剣１２の背面側には、小剣通し１５が縫製により取り付けられている。小剣１３の先端部分には、抜け止め部１６が設けられている。抜け止め部１６は、小剣１３の内部に丸ボタン１７を縫着することによって構成され、結び目１１の下端部１１ａより左右の幅が広くなるように形成されている。
【００１９】
首掛け部１４は、一端部１４ａ（例えば、図１の左端部）が結び目１１または大検１２に接続され、他端部１４ｂ（例えば、図１の右端部）が小剣１３に接続されている。首掛け部１４には、該首掛け部１４の中間部分を接離可能なように安全機構部１８が設けられている。安全機構部１８は、凹部１８ａと該凹部１８ａに係脱可能に形成される凸部１８ｂとにより構成され、周方向に所定以上の負荷が掛かった時に凸部１８ｂが凹部１８ａから離脱するようになっている。
【００２０】
次に、図３および図４を参照しつつ、上記した構成を備えたネクタイ１０を装着する方法について説明する。ここで、図３および図４はネクタイ１０を装着する手順を示す正面図である。
【００２１】
図３に示されているように、首掛け部１４の一端部１４ａを引っ張り、着用者の頭を通せるサイズまで首掛け部１４によって囲まれる面積を拡大させるように首掛け部１４を緩める。この間、ネクタイ１０の結び目１１はその形状を維持している。着用者は、首掛け部１４の中に頭に通し、首掛け部１４をワイシャツの襟の下に通してネクタイ１０を首に掛ける。
【００２２】
その後、図４に示されているように、小剣１３を引っ張ると、結び目１１の形状を維持したまま、首掛け部１４によって囲まれる面積が収縮し、結び目１１は首元にフィットする。
【００２３】
このように上記した本考案の実施の形態に係るネクタイ１０によれば、結び目１１を解くことなく簡単に、ネクタイ１０を着用したり、取り外したりすることができる。また、その際、結び目１１の形状は最初の綺麗な状態を維持することができる。
【００２４】
また、ネクタイ１０の生地に複雑な加工をしたり、或いは、ネクタイ１０以外にいろいろな部品を用意したりする必要がないため、ネクタイの製造時の手間やコストの削減が可能となる。
【００２５】
また、ネクタイ１０の着用中に大剣１２が扉に挟まれたりして首掛け部１４に所定以上の負荷が作用した場合には、図５に示すように、安全機構部１８の凸部１８ｂが凹部１８ａから離脱するため、ネクタイ１０が着用者の首を絞めつけたりするのを防止することができ、安全性の向上を図ることができる。
【００２６】
なお、上記した本考案の実施の形態の説明は、本考案に係るネクタイ１０における好適な実施の形態を説明しているため、材質、形状、寸法、構造等において技術的に好ましい種々の限定を付している場合もあるが、本考案の技術範囲は、特に本考案を限定する記載がない限り、これらの態様に限定されるものではない。すなわち、上記した本考案の実施の形態における構成要素は適宜、既存の構成要素等との置き換えが可能であり、且つ、他の既存の構成要素との組合せを含む様々なバリエーションが可能であり、上記した本考案の実施の形態の記載をもって、実用新案登録請求の範囲に記載された考案の内容を限定するものではない。
【符号の説明】
【００２７】
１０    ネクタイ
１１    結び目
１１ａ  下端部
１１ｂ  上端部
１２    大剣
１３    小剣
１４    首掛け部
１４ａ  一端部
１４ｂ  他端部
１６    抜け止め部
１８    安全機構部
【図１】
0003215577.tif 000003
【図２】
0003215577.tif 000004
【図３】
0003215577.tif 000005
【図４】
0003215577.tif 000006
【図５】
0003215577.tif 000007